(57)【要約】【課題】  ユーザの正当性を確保するとともに訴求力の高い名刺を実現するのに好適な名刺情報管理システムを提供する。【解決手段】  企業及びその構成員を認証し、認証された企業の構成員の名刺情報をテーブル４００〜４６０に登録する。名刺ＩＤに基づいて２次元バーコードを生成し、生成した２次元バーコードを名刺に印刷する。そして、携帯端末２１０において、名刺に印刷された２次元バーコードから名刺ＩＤを読み取り、読み取った名刺ＩＤに対応する名刺情報をテーブル４００〜４６０のなかから検索し、索出した名刺情報を携帯端末２１０に提供する。また、名刺交換を行った構成員の対応関係を示す名刺交換情報を名刺交換情報テーブル４８０に登録し、名刺交換情報テーブル４８０の名刺交換情報に基づいて、テーブル４００〜４６０において名刺情報及び名刺裏面情報の対応づけを更新する。【選択図】  図５
2019032783.tif 000002
【特許請求の範囲】
【請求項１】
企業情報を記憶する企業情報記憶手段の前記企業情報と照合することにより企業を認証する企業認証手段と、
前記企業認証手段で認証された企業の構成員を認証する構成員認証手段と、
前記構成員認証手段で認証された構成員の名刺情報を名刺情報記憶手段に登録する名刺情報登録手段と、
前記名刺情報記憶手段の名刺情報に対応する識別情報を生成する識別情報生成手段と、
前記識別情報生成手段で生成した識別情報が記録された名刺媒体から読み取られた前記識別情報を名刺利用端末から取得する識別情報取得手段と、
前記識別情報取得手段で取得した識別情報に対応する前記名刺情報を前記名刺情報記憶手段のなかから検索する名刺情報検索手段と、
前記名刺情報検索手段で索出した名刺情報を前記名刺利用端末に提供する名刺情報提供手段とを備えることを特徴とする名刺情報管理システム。
【請求項２】
請求項１において、
前記名刺情報記憶手段は、前記名刺情報を、これに付属して前記名刺媒体に記録される掲載情報と対応づけて記憶し、
前記名刺情報検索手段及び前記名刺情報提供手段は、前記名刺情報及びこれに対応する前記掲載情報を検索及び提供し、
前記識別情報取得手段で取得した識別情報に基づいて、前記名刺媒体又はこれに記録された名刺情報を提供又は交換した前記構成員の対応関係を示す対応情報を対応情報記憶手段に登録する対応情報登録手段と、
前記対応情報記憶手段の対応情報に基づいて、前記名刺情報記憶手段において前記名刺情報及び前記掲載情報の対応づけ又は前記名刺情報に対応する前記掲載情報を更新する更新手段とを備えることを特徴とする名刺情報管理システム。
【請求項３】
請求項２において、
前記更新手段は、対象の構成員の前記名刺情報に対し、当該対象の構成員が前記名刺媒体又はこれに記録された当該名刺情報を提供又は交換した相手の構成員若しくはその企業又はその属性に対応する前記掲載情報を対応づけ、又は、当該名刺情報に対応する前記掲載情報を、当該相手の構成員若しくはその企業又はその属性に対応する内容に更新することを特徴とする名刺情報管理システム。
【請求項４】
請求項３において、
前記相手の構成員若しくはその企業又はその属性ごとに、前記名刺媒体又は前記名刺情報を提供又は交換した回数を算出する回数算出手段を備え、
前記更新手段は、前記対象の構成員の前記名刺情報に対し、前記回数算出手段で算出した回数が最も大きい又は所定以上の前記相手の構成員若しくはその企業又はその属性に対応する前記掲載情報を対応づけ、又は、当該名刺情報に対応する前記掲載情報を、前記回数算出手段で算出した回数が最も大きい又は所定以上の前記相手の構成員若しくはその企業又はその属性に対応する内容に更新することを特徴とする名刺情報管理システム。
【請求項５】
請求項１乃至４のいずれか１項において、
前記名刺利用端末で所定時期以後に名刺情報を利用できなくなるように構成員の権限を変更する権限変更手段を備えることを特徴とする名刺情報管理システム。
【請求項６】
企業の構成員の名刺情報を、これに付属して名刺媒体に記録される掲載情報と対応づけて名刺情報記憶手段に登録する名刺情報登録手段と、
前記名刺情報記憶手段の名刺情報に対応する識別情報を生成する識別情報生成手段と、
前記識別情報生成手段で生成した識別情報が記録された名刺媒体から読み取られた前記識別情報を名刺利用端末から取得する識別情報取得手段と、
前記識別情報取得手段で取得した識別情報に対応する前記名刺情報及び前記掲載情報を前記名刺情報記憶手段のなかから検索する名刺情報検索手段と、
前記名刺情報検索手段で索出した名刺情報及び掲載情報を前記名刺利用端末に提供する名刺情報提供手段と、
前記識別情報取得手段で取得した識別情報に基づいて、前記名刺媒体又はこれに記録された名刺情報を提供又は交換した前記構成員の対応関係を示す対応情報を対応情報記憶手段に登録する対応情報登録手段と、
前記対応情報記憶手段の対応情報に基づいて、前記名刺情報記憶手段において前記名刺情報及び前記掲載情報の対応づけ又は前記名刺情報に対応する前記掲載情報を更新する更新手段とを備えることを特徴とする名刺情報管理システム。
【発明の詳細な説明】
【技術分野】
【０００１】
本発明は、名刺情報を管理するシステムに係り、特に、ユーザの正当性を確保するとともに訴求力の高い名刺を実現するのに好適な名刺情報管理システムに関する。
【背景技術】
【０００２】
従来、名刺情報を管理する技術としては、例えば、特許文献１記載の技術が知られている。
【０００３】
特許文献１記載の技術は、携帯端末において、名刺に印刷された２次元バーコードから識別情報を読み取り、読み取った識別情報を含む取得リクエストをサーバに送信すると、サーバは、識別情報に関連付けて記憶部に記憶された個人情報を端末に送信し、端末は、サーバから受信した個人情報を表示するものである。
【先行技術文献】
【特許文献】
【０００４】
【特許文献１】特開２０１６−１８９１４７号公報
【発明の概要】
【発明が解決しようとする課題】
【０００５】
しかしながら、特許文献１記載の技術にあっては、企業（法人又は個人事業者）に所属していない第三者又は退職者がその企業の構成員を装って個人情報を登録して悪用するおそれがあるという問題があった。
【０００６】
また、名刺には氏名や会社名等の情報が記載される一方、ユーザの趣味等の情報を含む個人情報を別に管理して提供するものであるが、いずれも固定的な情報であるため、名刺を交換する相手に対し必ずしも訴求する内容ではないという問題もあった。
【０００７】
そこで、本発明は、このような従来の技術の有する未解決の課題に着目してなされたものであって、ユーザの正当性を確保するとともに訴求力の高い名刺を実現するのに好適な名刺情報管理システムを提供することを目的としている。
【課題を解決するための手段】
【０００８】
〔発明１〕  上記目的を達成するために、発明１の名刺情報管理システムは、企業情報を記憶する企業情報記憶手段の前記企業情報と照合することにより企業を認証する企業認証手段と、前記企業認証手段で認証された企業の構成員を認証する構成員認証手段と、前記構成員認証手段で認証された構成員の名刺情報を名刺情報記憶手段に登録する名刺情報登録手段と、前記名刺情報記憶手段の名刺情報に対応する識別情報を生成する識別情報生成手段と、前記識別情報生成手段で生成した識別情報が記録された名刺媒体から読み取られた前記識別情報を名刺利用端末から取得する識別情報取得手段と、前記識別情報取得手段で取得した識別情報に対応する前記名刺情報を前記名刺情報記憶手段のなかから検索する名刺情報検索手段と、前記名刺情報検索手段で索出した名刺情報を前記名刺利用端末に提供する名刺情報提供手段とを備える。
【０００９】
このような構成であれば、名刺情報の登録にあたっては２段階の認証が行われる。第１に、企業認証手段により、企業情報記憶手段の企業情報と照合することにより企業が認証される。第２に、構成員認証手段により、認証された企業の構成員が認証される。そして、名刺情報登録手段により、認証された構成員の名刺情報が名刺情報記憶手段に登録される。
【００１０】
次に、名刺媒体を作成する場合、識別情報生成手段により、名刺情報記憶手段の名刺情報に対応する識別情報が生成される。生成された識別情報は、例えば、名刺情報とともに名刺媒体に記録される。
【００１１】
次に、名刺媒体又はこれに記録された名刺情報を提供又は交換した場合、名刺利用端末において名刺媒体から識別情報を読み取ると、識別情報取得手段により、識別情報が名刺利用端末から取得される。そして、名刺情報検索手段により、取得された識別情報に対応する名刺情報が名刺情報記憶手段のなかから検索され、名刺情報提供手段により、索出された名刺情報が名刺利用端末に提供される。これにより、名刺利用端末では、提供された名刺情報を利用することができる。
【００１２】
ここで、企業とは、事業を営む組織体をいい、自然人（例えば、個人事業者）であってもよいし、法人であってもよい。以下、発明５の名刺情報管理システムにおいて同じである。
【００１３】
また、名刺媒体としては、紙製の名刺のほか、名刺情報を記録した記録媒体や情報機器が含まれる。以下、発明５の名刺情報管理システムにおいて同じである。
【００１４】
また、企業情報記憶手段は、企業情報をあらゆる手段で且つあらゆる時期に記憶するものであり、企業情報を予め記憶してあるものであってもよいし、企業情報を予め記憶することなく、本システムの動作時に外部からの入力等によって企業情報を記憶するようになっていてもよい。他の記憶手段についても同様である。
【００１５】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明５の名刺情報管理システムにおいて同じである。
【００１６】
〔発明２〕  さらに、発明２の名刺情報管理システムは、発明１の名刺情報管理システムにおいて、前記名刺情報記憶手段は、前記名刺情報を、これに付属して前記名刺媒体に記録される掲載情報と対応づけて記憶し、前記名刺情報検索手段及び前記名刺情報提供手段は、前記名刺情報及びこれに対応する前記掲載情報を検索及び提供し、前記識別情報取得手段で取得した識別情報に基づいて、前記名刺媒体又はこれに記録された名刺情報を提供又は交換した前記構成員の対応関係を示す対応情報を対応情報記憶手段に登録する対応情報登録手段と、前記対応情報記憶手段の対応情報に基づいて、前記名刺情報記憶手段において前記名刺情報及び前記掲載情報の対応づけ又は前記名刺情報に対応する前記掲載情報を更新する更新手段とを備える。
【００１７】
このような構成であれば、識別情報取得手段により識別情報が取得されると、名刺情報検索手段により、取得された識別情報に対応する名刺情報及び掲載情報が名刺情報記憶手段のなかから検索され、名刺情報提供手段により、索出された名刺情報及び掲載情報が名刺利用端末に提供される。
【００１８】
また、識別情報取得手段により識別情報が取得されると、対応情報登録手段により、取得された識別情報に基づいて、名刺媒体等を提供又は交換した構成員の対応関係を示す対応情報が対応情報記憶手段に登録される。そして、更新手段により、対応情報記憶手段の対応情報に基づいて、名刺情報記憶手段において名刺情報及び掲載情報の対応づけ又は名刺情報に対応する掲載情報が更新される。
【００１９】
〔発明３〕  さらに、発明３の名刺情報管理システムは、発明２の名刺情報管理システムにおいて、前記更新手段は、対象の構成員の前記名刺情報に対し、当該対象の構成員が前記名刺媒体又はこれに記録された当該名刺情報を提供又は交換した相手の構成員若しくはその企業又はその属性に対応する前記掲載情報を対応づけ、又は、当該名刺情報に対応する前記掲載情報を、当該相手の構成員若しくはその企業又はその属性に対応する内容に更新する。
【００２０】
このような構成であれば、更新手段により、対象の構成員の名刺情報に対し、その対象の構成員が名刺媒体等を提供又は交換した相手の構成員若しくはその企業又はその属性に対応する掲載情報が対応づけられ、又は、その名刺情報に対応する掲載情報が、相手の構成員若しくはその企業又はその属性に対応する内容に更新される。
【００２１】
〔発明４〕  さらに、発明４の名刺情報管理システムは、発明３の名刺情報管理システムにおいて、前記相手の構成員若しくはその企業又はその属性ごとに、前記名刺媒体又は前記名刺情報を提供又は交換した回数を算出する回数算出手段を備え、前記更新手段は、前記対象の構成員の前記名刺情報に対し、前記回数算出手段で算出した回数が最も大きい又は所定以上の前記相手の構成員若しくはその企業又はその属性に対応する前記掲載情報を対応づけ、又は、当該名刺情報に対応する前記掲載情報を、前記回数算出手段で算出した回数が最も大きい又は所定以上の前記相手の構成員若しくはその企業又はその属性に対応する内容に更新する。
【００２２】
このような構成であれば、回数算出手段により、相手の構成員若しくはその企業又はその属性ごとに、名刺媒体等を提供又は交換した回数が算出される。そして、更新手段により、対象の構成員の名刺情報に対し、算出された回数が最も大きい又は所定以上の相手の構成員若しくはその企業又はその属性に対応する掲載情報が対応づけられ、又は、その名刺情報に対応する掲載情報が、算出された回数が最も大きい又は所定以上の相手の構成員若しくはその企業又はその属性に対応する内容に更新される。
【００２３】
〔発明５〕  さらに、発明５の名刺情報管理システムは、発明１乃至４のいずれか１の名刺情報管理システムにおいて、前記名刺利用端末で所定時期以後に名刺情報を利用できなくなるように構成員の権限を変更する権限変更手段を備える。
【００２４】
このような構成であれば、例えば、構成員が企業を退職する場合、権限変更手段により、名刺利用端末で退職以後に名刺情報を利用できなくなるように構成員の権限が変更される。
【００２５】
〔発明６〕  さらに、発明６の名刺情報管理システムは、企業の構成員の名刺情報を、これに付属して名刺媒体に記録される掲載情報と対応づけて名刺情報記憶手段に登録する名刺情報登録手段と、前記名刺情報記憶手段の名刺情報に対応する識別情報を生成する識別情報生成手段と、前記識別情報生成手段で生成した識別情報が記録された名刺媒体から読み取られた前記識別情報を名刺利用端末から取得する識別情報取得手段と、前記識別情報取得手段で取得した識別情報に対応する前記名刺情報及び前記掲載情報を前記名刺情報記憶手段のなかから検索する名刺情報検索手段と、前記名刺情報検索手段で索出した名刺情報及び掲載情報を前記名刺利用端末に提供する名刺情報提供手段と、前記識別情報取得手段で取得した識別情報に基づいて、前記名刺媒体又はこれに記録された名刺情報を提供又は交換した前記構成員の対応関係を示す対応情報を対応情報記憶手段に登録する対応情報登録手段と、前記対応情報記憶手段の対応情報に基づいて、前記名刺情報記憶手段において前記名刺情報及び前記掲載情報の対応づけ又は前記名刺情報に対応する前記掲載情報を更新する更新手段とを備える。
【発明の効果】
【００２６】
以上説明したように、発明１の名刺情報管理システムによれば、名刺情報の登録にあたって企業及びその構成員を認証する２段階認証を行うので、企業に所属していない第三者又は退職者がその企業の構成員を装って名刺情報を登録して悪用する可能性を低減することができる。したがって、従来に比して、ユーザの正当性を確保することができる。また、企業情報と照合することにより企業を認証することができるので認証手続が容易である。
【００２７】
さらに、発明２又は６の名刺情報管理システムによれば、名刺媒体等を提供又は交換すると、名刺情報及び掲載情報の対応づけ又は名刺情報に対応する掲載情報が更新されるので、名刺媒体等を提供又は交換した相手に対し訴求する内容に掲載情報を進化させることができる。したがって、従来に比して、訴求力の高い名刺を実現することができる。
【００２８】
さらに、発明３の名刺情報管理システムによれば、名刺媒体等を提供又は交換すると、名刺情報に対し、相手の構成員若しくはその企業又はその属性に対応する掲載情報が対応づけられ、又は、その名刺情報に対応する掲載情報が、相手の構成員若しくはその企業又はその属性に対応する内容に更新されるので、名刺媒体等を提供又は交換した相手若しくはその企業又はその属性に沿った内容に掲載情報を進化させることができる。例えば、特定の部署との取引が多い場合は、その部署の人たちに訴求する内容に掲載情報を進化させることができる。
【００２９】
さらに、発明４の名刺情報管理システムによれば、名刺媒体等を提供又は交換すると、名刺情報に対し、名刺媒体等の提供又は交換の回数が最も大きい又は所定以上の相手の構成員若しくはその企業又はその属性に対応する掲載情報が対応づけられ、又は、その名刺情報に対応する掲載情報が、名刺媒体等の提供又は交換の回数が最も大きい又は所定以上の相手の構成員若しくはその企業又はその属性に対応する内容に更新されるので、名刺媒体等を提供又は交換すればするほど、提供又は交換の回数が大きい相手若しくはその企業又はその属性に沿った内容に掲載情報を進化させることができる。例えば、特定の部署との取引が増えてきた場合、その部署の人たちに訴求する内容に掲載情報を進化させることができる。
【００３０】
さらに、発明５の名刺情報管理システムによれば、例えば退職者による名刺情報の流出や不正利用を防止することができる。
【図面の簡単な説明】
【００３１】
【図１】本実施の形態に係るネットワークシステムの構成を示すブロック図である。
【図２】名刺情報管理サーバ１００のハードウェア構成を示す図である。
【図３】ユーザ企業情報テーブル４００、ユーザ情報テーブル４２０及び名刺裏面情報テーブル４４０のデータ構造を示す図である。
【図４】名刺構成情報テーブル４６０及び名刺交換情報テーブル４８０のデータ構造を示す図である。
【図５】名刺情報を登録する場合の企業端末２００、名刺情報管理サーバ１００及び企業情報管理サーバ３００の動作を示すシーケンスフローである。
【図６】名刺情報を利用する場合の企業端末２００、名刺情報管理サーバ１００及び携帯端末２１０の動作を示すシーケンスフローである。
【図７】名刺を再度印刷する場合の企業端末２００及び名刺情報管理サーバ１００の動作を示すシーケンスフローである。
【発明を実施するための形態】
【００３２】
以下、本発明の実施の形態を説明する。図１乃至図７は、本実施の形態を示す図である。
【００３３】
まず、本実施の形態の構成を説明する。
図１は、本実施の形態に係るネットワークシステムの構成を示すブロック図である。
【００３４】
インターネット１９９には、図１に示すように、名刺情報を管理する名刺情報管理サーバ１００と、名刺情報の管理を依頼する企業が利用する企業端末２００と、企業の構成員が利用する複数の携帯端末２１０と、企業情報を管理する企業情報管理サーバ３００とが接続されている。
【００３５】
企業情報管理サーバ３００は、会社名及び住所を照会要求とともに受信したときは、データベースに該当の企業情報が存在する場合は、データベースから企業の識別情報（例えば法人番号）を検索し、索出した識別情報を送信する。
【００３６】
次に、名刺情報管理サーバ１００の構成を説明する。
図２は、名刺情報管理サーバ１００のハードウェア構成を示す図である。
【００３７】
名刺情報管理サーバ１００は、図２に示すように、制御プログラムに基づいて演算及び制御を行うＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（InterFace）３８とで構成されており、これらは、データを転送するための信号線であるバス３９で相互に且つデータ授受可能に接続されている。
【００３８】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９に接続するための信号線とが接続されている。
【００３９】
次に、記憶装置４２のデータ構造を説明する。
図３は、ユーザ企業情報テーブル４００、ユーザ情報テーブル４２０及び名刺裏面情報テーブル４４０のデータ構造を示す図である。
【００４０】
記憶装置４２は、図３（ａ）に示すように、ユーザとなる企業の情報を登録するためのユーザ企業情報テーブル４００を記憶している。
【００４１】
ユーザ企業情報テーブル４００には、企業ごとに１つのレコードが登録されている。各レコードは、企業を識別するための企業ＩＤを登録するフィールド４０２と、企業の種別（個人事業主であれば「個人」、法人であれば「法人」）を登録するフィールド４０４と、企業の氏名又は名称（個人事業主であれば「氏名」、法人であれば「会社名」）を登録するフィールド４０６と、企業の住所を登録するフィールド４０８と、企業の郵便番号を登録するフィールド４１０と、企業の電話番号を登録するフィールド４１２とを有して構成されている。
【００４２】
記憶装置４２は、図３（ｂ）に示すように、ユーザとなる企業の構成員に関する情報を登録するためのユーザ情報テーブル４２０を記憶している。
【００４３】
ユーザ情報テーブル４２０は、企業ＩＤごとに設けられている。ユーザ情報テーブル４２０には、企業の構成員ごとに１つのレコードが登録されている。各レコードは、構成員を識別するための構成員ＩＤを登録するフィールド４２２と、構成員の氏名を登録するフィールド４２４と、構成員の所属を登録するフィールド４２６と、構成員のメールアドレスを登録するフィールド４２８と、構成員が携帯端末２１０のアプリケーションを利用できるかどうかの権限を登録するフィールド４３０とを有して構成されている。
【００４４】
記憶装置４２は、図３（ｃ）に示すように、名刺の裏面に印刷される名刺裏面情報を登録するための名刺裏面情報テーブル４４０を記憶している。
【００４５】
名刺裏面情報テーブル４４０には、名刺裏面情報ごとに１つのレコードが登録されている。各レコードは、名刺裏面情報を識別するための裏面ＩＤを登録するフィールド４４２と、名刺裏面情報のカテゴリを登録するフィールド４４４と、名刺裏面情報を登録するフィールド４４６とを有して構成されている。
【００４６】
図４は、名刺構成情報テーブル４６０及び名刺交換情報テーブル４８０のデータ構造を示す図である。
【００４７】
記憶装置４２は、図４（ａ）に示すように、名刺構成情報を登録するための名刺構成情報テーブル４６０を記憶している。
【００４８】
名刺構成情報テーブル４６０には、構成員ごとに１つのレコードが登録されている。各レコードは、構成員の名刺を識別するための名刺ＩＤを登録するフィールド４６２と、構成員が属する企業の企業ＩＤを登録するフィールド４６４と、構成員の構成員ＩＤを登録するフィールド４６６と、構成員の名刺の裏面に印刷される名刺裏面情報の裏面ＩＤを登録するフィールド４６８とを有して構成されている。名刺裏面情報を変更する場合は、名刺構成情報テーブル４６０において裏面ＩＤを更新することにより行う。
【００４９】
記憶装置４２は、図４（ｂ）に示すように、名刺交換を行った構成員の対応関係を示す名刺交換情報を登録するための名刺交換情報テーブル４８０を記憶している。
【００５０】
名刺交換情報テーブル４８０には、名刺交換を行った構成員の組み合わせごとに１つのレコードが登録されている。各レコードは、名刺交換を行った一方の構成員（自己）の名刺ＩＤを登録するフィールド４８２と、名刺交換を行った他方の構成員（相手）の名刺ＩＤを登録するフィールド４８４とを有して構成されている。
【００５１】
次に、本実施の形態の動作を説明する。
まず、名刺情報を登録する場合を説明する。
図５は、名刺情報を登録する場合の企業端末２００、名刺情報管理サーバ１００及び企業情報管理サーバ３００の動作を示すシーケンスフローである。
【００５２】
ＣＰＵ３０は、ＭＰＵ（Micro-Processing Unit）等からなり、ＲＯＭ３２の所定領域に格納されている所定のプログラムを起動させ、名刺情報管理サーバ１００は、そのプログラムに従って以下の処理を実行する。プログラムに従って処理を実行する点は企業端末２００及び企業情報管理サーバ３００についても同様である。
【００５３】
企業端末２００では、名刺情報の管理を依頼する場合、名刺情報管理サーバ１００に対しアカウントの発行を要求する（Ｓ１００）。アカウント発行要求の際は、会社名及び住所を入力する。
【００５４】
名刺情報管理サーバ１００では、アカウント発行要求とともに会社名及び住所を受信すると、会社名及び住所を照会要求とともに企業情報管理サーバ３００に送信する。
【００５５】
企業情報管理サーバ３００では、会社名及び住所を照会要求とともに受信すると、データベースに該当の企業情報が存在する場合は、データベースから企業の識別情報を検索し、索出した識別情報を名刺情報管理サーバ１００に送信する（Ｓ１０２）。該当の企業情報が存在しない場合は、該当の企業情報が存在しない旨の通知を名刺情報管理サーバ１００に送信する。
【００５６】
名刺情報管理サーバ１００では、企業の識別番号を受信すると、企業が実在すると判定し企業を認証し、企業端末２００に対しアカウント情報（例えば、ＩＤとパスワード）を発行する（Ｓ１０４、Ｓ１０６）。これに対し、該当の企業情報が存在しない旨の通知を受信すると、企業が実在しないと判定し企業を認証せず、アカウント情報の発行は行われない。
【００５７】
企業端末２００では、アカウント情報を受信すると、企業及びその構成員について名刺情報等を入力する（Ｓ１０８、Ｓ１１０）。このとき、１人１人の構成員が実在するかどうかを認証する（Ｓ１１２）。認証方法は、例えば、社内データベースの社員番号等と照合することにより行う。そして、入力された名刺情報を登録要求とともに名刺情報管理サーバ１００に送信する（Ｓ１１４）。名刺情報としては、例えば、企業について種別、名称、住所、郵便番号及び電話番号が、各構成員について氏名、所属、メールアドレス、権限及び名刺裏面情報が含まれる。
【００５８】
名刺情報管理サーバ１００では、名刺情報を登録要求とともに受信すると、受信した名刺情報をテーブル４００〜４６０に登録する（Ｓ１１６、Ｓ１１８）。受信した名刺情報のうち企業の種別、名称、住所、郵便番号及び電話番号はユーザ企業情報テーブル４００に、各構成員の氏名、所属、メールアドレス及び権限はユーザ情報テーブル４２０にそれぞれ登録される。また、名刺裏面情報は名刺裏面情報テーブル４４０に、名刺裏面情報の名刺との組み合わせは名刺構成情報テーブル４６０にそれぞれ登録される。例えば、ある構成員Ａについて名刺裏面情報を設定する場合、構成員Ａにセミナーの講師実績が多数あるときは、カテゴリ「技術」に対応する名刺裏面情報には技術に関するセミナーの講師実績を設定し、カテゴリ「企画」に対応する名刺裏面情報には企画に関するセミナーの講師実績を設定しておく。そして、構成員Ａが技術部に所属している場合、最初は、カテゴリ「技術」に対応する名刺裏面情報を設定し、名刺を印刷する。しかしその後、名刺交換を繰り返した結果、企画部に所属する人たちと名刺交換を行う機会が増えてきた場合、カテゴリ「企画」に対応する名刺裏面情報が対応づけられる。これにより、次に名刺を印刷すると、名刺の裏面には、企画に関するセミナーの講師実績が印刷されることになり、企画部に所属する人たちに訴求する内容となる。名刺を交換するごとに相手に訴求する内容となり、名刺が育つのである。
【００５９】
企業端末２００では、名刺情報の登録が完了すると、名刺情報管理サーバ１００に名刺の印刷要求を送信する（Ｓ１２０）。
【００６０】
名刺情報管理サーバ１００では、名刺の印刷要求を受信すると、テーブル４００〜４６０から該当の名刺情報を検索し、索出した名刺情報をメール等で印刷業者３１０に送信し、印刷業者３１０に対し印刷発注を行う（Ｓ１２２、Ｓ１２４）。このとき、名刺に印刷するための２次元バーコードを生成し、生成した２次元バーコードを名刺情報に含める。２次元バーコードは、名刺との対応づけを行うため名刺ＩＤに基づいて生成される。印刷業者３１０は、受信した名刺情報に基づいて名刺を印刷する。名刺には、企業の名称、住所、郵便番号及び電話番号、構成員の氏名、所属及びメールアドレス、２次元バーコード、名刺裏面情報その他の情報が印刷される。そして、印刷された名刺は、郵送等により企業に納品される。
【００６１】
なお、名刺の印刷要求は、携帯端末２１０のアプリケーションでも同様に行うことができる。
【００６２】
次に、名刺情報を利用する場合を説明する。
図６は、名刺情報を利用する場合の企業端末２００、名刺情報管理サーバ１００及び携帯端末２１０の動作を示すシーケンスフローである。
【００６３】
携帯端末２１０は、カメラ及びタッチパネルを有するスマートフォン等からなり、名刺情報管理サーバ１００との通信により名刺情報を利用するアプリケーションがインストールされている。アプリケーションを起動すると、ＲＯＭの所定領域に格納されている所定のアプリケーションプログラムを起動させ、そのアプリケーションプログラムに従って以下の処理を実行する。
【００６４】
構成員は、他の企業の構成員と名刺交換を行うと、携帯端末２１０において、名刺に印刷された２次元バーコードからカメラにより名刺ＩＤを読み取る（Ｓ２００）。携帯端末２１０では、名刺ＩＤが読み取られると、読み取った名刺ＩＤ及び携帯端末２１０の構成員の名刺ＩＤを提供要求とともに名刺情報管理サーバ１００に送信する（Ｓ２０２）。
【００６５】
名刺情報管理サーバ１００では、名刺ＩＤを提供要求とともに受信すると、自己の名刺ＩＤ及び相手の名刺ＩＤを名刺交換情報テーブル４８０に登録する（Ｓ２０４、Ｓ２０６）。また、相手の名刺ＩＤに対応する名刺情報をテーブル４００〜４６０のなかから検索し、索出した名刺情報を携帯端末２１０に送信する（Ｓ２０８、Ｓ２１０）。
【００６６】
携帯端末２１０では、名刺情報を受信すると、受信した名刺情報をアプリケーションのデータベースに登録する（Ｓ２１２、Ｓ２１４）。構成員は、名刺情報を参照する場合、携帯端末２１０において、検索条件を入力する（Ｓ２１６）。携帯端末２１０では、検索条件を入力すると、入力した検索条件に該当する名刺情報をデータベースのなかから検索し、索出した名刺情報をタッチパネルに表示する（Ｓ２２０）。
【００６７】
一方、構成員が企業を退職する場合、企業端末２００では、構成員が退職以後に携帯端末２１０のアプリケーションを利用できないように権限変更要求を名刺情報管理サーバ１００に送信する（Ｓ２２２）。
【００６８】
名刺情報管理サーバ１００では、権限変更要求を受信すると、ユーザ情報テーブル４２０の権限を更新し、該当の構成員の携帯端末２１０に対し、退職以後にアプリケーションを利用できないように権限変更要求を送信する（Ｓ２２４）。
【００６９】
携帯端末２１０では、権限変更要求を受信すると、退職以後にアプリケーションを利用できないように権限が変更される（Ｓ２２６）。
【００７０】
次に、名刺を再度印刷する場合を説明する。
図７は、名刺を再度印刷する場合の企業端末２００及び名刺情報管理サーバ１００の動作を示すシーケンスフローである。
【００７１】
企業端末２００では、名刺切れにより名刺を再度印刷する場合、名刺情報管理サーバ１００に名刺の印刷要求を送信する（Ｓ３００）。
【００７２】
名刺情報管理サーバ１００では、名刺の印刷要求を受信すると、名刺交換情報テーブル４８０に基づいて、印刷要求に係る対象の構成員と名刺交換を行った相手の所属ごとに名刺交換を行った回数を算出し、名刺構成情報テーブル４６０において、算出した回数が最も大きい所属に対応するカテゴリの名刺裏面情報を対応づける（Ｓ３０２〜Ｓ３０６）。そして、新たな名刺裏面情報を含む該当の名刺情報をテーブル４００〜４６０から検索し、索出した名刺情報に基づいて名刺プレビュー画像を生成し、生成した名刺プレビュー画像を企業端末２００に送信する（Ｓ３０８〜Ｓ３１２）。
【００７３】
企業端末２００では、名刺プレビュー画像を受信すると、受信した名刺プレビュー画像を表示し、内容の確認を行い、その結果を名刺情報管理サーバ１００に送信する（Ｓ３１４、Ｓ３１６）。
【００７４】
名刺情報管理サーバ１００では、内容確認の結果を受信すると、索出した名刺情報をメール等で印刷業者３１０に送信し、印刷業者３１０に対し印刷発注を行う（Ｓ３１８）。このとき、名刺ＩＤに基づいて２次元バーコードを生成し、生成した２次元バーコードを名刺情報に含める。印刷業者３１０は、受信した名刺情報に基づいて名刺を印刷する。名刺には、企業の名称、住所、郵便番号及び電話番号、構成員の氏名、所属及びメールアドレス、２次元バーコード、新たな名刺裏面情報その他の情報が印刷される。そして、印刷された名刺は、郵送等により企業に納品される。
【００７５】
次に、本実施の形態の効果を説明する。
本実施の形態では、企業情報管理サーバ３００の企業情報と照合することにより企業を認証し、認証された企業の構成員を認証し、認証された構成員の名刺情報をテーブル４００〜４６０に登録し、名刺ＩＤに基づいて２次元バーコードを生成し、名刺に印刷された２次元バーコードから名刺ＩＤを読み取り、読み取った名刺ＩＤに対応する名刺情報をテーブル４００〜４６０のなかから検索し、索出した名刺情報を携帯端末２１０に提供する。
【００７６】
これにより、名刺情報の登録にあたって企業及びその構成員を認証する２段階認証を行うので、企業に所属していない第三者又は退職者がその企業の構成員を装って名刺情報を登録して悪用する可能性を低減することができる。したがって、従来に比して、ユーザの正当性を確保することができる。また、企業情報と照合することにより企業を認証することができるので認証手続が容易である。
【００７７】
さらに、本実施の形態では、名刺に印刷された２次元バーコードから読み取られた名刺ＩＤに基づいて、名刺交換を行った構成員の対応関係を示す名刺交換情報を名刺交換情報テーブル４８０に登録し、名刺交換情報テーブル４８０の名刺交換情報に基づいて、テーブル４００〜４６０において名刺情報及び名刺裏面情報の対応づけを更新する。
【００７８】
これにより、名刺交換を行うと、名刺情報及び名刺裏面情報の対応づけが更新されるので、名刺交換を行った相手に対し訴求する内容に名刺裏面情報を進化させることができる。したがって、従来に比して、訴求力の高い名刺を実現することができる。
【００７９】
さらに、本実施の形態では、対象の構成員の名刺情報に対し、その対象の構成員が名刺交換を行った相手の所属に対応する名刺裏面情報を対応づける。
【００８０】
これにより、名刺交換を行うと、名刺情報に対し、相手の所属に対応する名刺裏面情報が対応づけられるので、名刺交換を行った相手の所属沿った内容に名刺裏面情報を進化させることができる。例えば、特定の所属との取引が多い場合は、その所属の人たちに訴求する内容に名刺裏面情報を進化させることができる。
【００８１】
さらに、本実施の形態では、印刷要求に係る対象の構成員と名刺交換を行った相手の所属ごとに名刺交換を行った回数を算出し、名刺構成情報テーブル４６０において、算出した回数が最も大きい所属に対応するカテゴリの名刺裏面情報を対応づける。
【００８２】
これにより、名刺交換を行うと、名刺情報に対し、名刺交換を行った回数が最も大きい所属に対応するカテゴリの名刺裏面情報が対応づけられるので、名刺交換を行えば行うほど、名刺交換の回数が大きい所属に沿った内容に名刺裏面情報を進化させることができる。例えば、特定の所属との取引が増えてきた場合、その所属の人たちに訴求する内容に名刺裏面情報を進化させることができる。
【００８３】
さらに、本実施の形態では、携帯端末２１０で退職以後に名刺情報を利用できなくなるように構成員の権限を変更する。
【００８４】
これにより、退職者による名刺情報の流出や不正利用を防止することができる。
本実施の形態において、携帯端末２１０は、発明１、５又は６の名刺利用端末に対応し、企業情報管理サーバ３００は、発明１の企業情報記憶手段に対応し、テーブル４００〜４６０は、発明１、２又は６の名刺情報記憶手段に対応し、名刺交換情報テーブル４８０は、発明２又は６の対応情報記憶手段に対応している。また、ステップＳ１０２は、発明１の企業認証手段に対応し、ステップＳ１１２は、発明１の構成員認証手段に対応し、ステップＳ１１８は、発明１又は６の名刺情報登録手段に対応し、ステップＳ１２４は、発明１又は６の識別情報生成手段に対応している。
【００８５】
また、本実施の形態において、ステップＳ２０４は、発明１、２又は６の識別情報取得手段に対応し、ステップＳ２０６は、発明２又は６の対応情報登録手段に対応し、ステップＳ２０８は、発明１、２又は６の名刺情報検索手段に対応し、ステップＳ２１０は、発明１、２又は６の名刺情報提供手段に対応している。また、ステップＳ２２４は、発明５の権限変更手段に対応し、ステップＳ３０４は、発明４の回数算出手段に対応し、ステップＳ３０６は、発明２乃至４又は６の更新手段に対応し、名刺裏面情報は、発明２乃至４又は６の掲載情報に対応している。
【００８６】
また、本実施の形態において、名刺交換情報は、発明２又は６の対応情報に対応している。
【００８７】
〔変形例〕
なお、上記実施の形態においては、名刺交換を行った相手の所属に対応する名刺裏面情報を対応づけたが、これに限らず、相手の構成員又はその企業に対応する名刺裏面情報を対応づけることもでき、相手の属性（所属以外の属性）又はその企業の属性に対応する名刺裏面情報を対応づけることもできる。
【００８８】
また、上記実施の形態及びその変形例においては、名刺構成情報テーブル４６０において、名刺交換を行った回数が最も大きい所属に対応するカテゴリの名刺裏面情報を対応づけたが、これに限らず、名刺交換を行った回数が所定以上の所属に対応するカテゴリの名刺裏面情報を対応づけることができる。
【００８９】
また、上記実施の形態及びその変形例においては、名刺交換情報テーブル４８０の名刺交換情報に基づいて、テーブル４００〜４６０において名刺情報及び名刺裏面情報の対応づけを更新したが、これに限らず、名刺情報に対応する名刺裏面情報の内容を更新することもできる。
【００９０】
また、上記実施の形態及びその変形例においては、名刺裏面情報テーブル４４０の名刺裏面情報の編集、追加又は削除について説明しなかったが、名刺裏面情報の編集、追加又は削除は、企業端末２００又は携帯端末２１０において任意に行うことができる。名刺裏面情報は、手動で追加してもよいし、所属に関するキーワードを用いてインターネット１９９を検索して得られた情報に基づいて自動で生成し追加してもよい。
【００９１】
また、上記実施の形態及びその変形例においては、企業端末２００において構成員を認証したが、これに限らず、名刺情報管理サーバ１００又はその他の端末において構成員を認証することができる。
【００９２】
また、上記実施の形態及びその変形例においては、２次元バーコードを用いたが、これに限らず、他の形式の識別情報を用いることができる。
【００９３】
また、上記実施の形態及びその変形例においては、名刺の裏面に印刷される情報を変更したが、これに限らず、名刺の表面に印刷される情報（例えば、キャッチコピー、肩書き、資格）を変更することもできる。
【００９４】
また、上記実施の形態及びその変形例においては、名刺裏面情報として１つの項目の情報を取り扱ったが、これに限らず、複数の項目の情報を取り扱うこともできる。例えば、名刺の裏面の領域を複数の領域に区分し、各領域ごとに情報を割り当てこれら情報をそれぞれ変更することができる。
【００９５】
また、上記実施の形態及びその変形例においては、名刺裏面情報として文字情報を取り扱ったが、これに限らず、写真を取り扱うこともできる。例えば、複数の顔写真を用意しておき、名刺交換を行う傾向がある相手に適合した写真を選択し、名刺に印刷する。技術部に所属する相手とよく名刺交換をする場合はラフな格好での写真を選択したり、総務部に所属する相手とよく名刺交換をする場合はスーツ姿の写真を選択したりする。また例えば、イベント用の写真やパーティー用の写真を用意しておき、名刺交換を行う傾向がある相手の興味に適合した写真を選択し、名刺に印刷することも考えられる。
【００９６】
また、上記実施の形態及びその変形例においては、２面付けの名刺を採用したが、これに限らず、４面付けの名刺（２つ折り両面の名刺）、６面付けの名刺（３つ折り両面の名刺）を採用することもできる。さらに多数の面付けの名刺を採用することもできる。
【００９７】
また、上記実施の形態及びその変形例において、図５乃至図７のシーケンスフローに示す処理を実行するにあたってはいずれも、ＲＯＭ３２に予め格納されているプログラムを実行する場合について説明したが、これに限らず、これらの手順を示したプログラムが記憶された記憶媒体から、そのプログラムをＲＡＭ３４に読み込んで実行するようにしてもよい。
【００９８】
また、上記実施の形態及びその変形例においては、名刺情報及び２次元バーコードを名刺に印刷し、名刺を交換する場合について本発明を適用したが、これに限らず、本発明の主旨を逸脱しない範囲で他の場合にも適用可能である。例えば、名刺ＩＤを記録媒体又はタブレット等の情報機器に記録し、名刺ＩＤを交換する場合について本発明を適用することもできる。また、名刺を交換する場合に限らず、名刺を一方的に相手に提供する場合についても適用することができる。
【符号の説明】
【００９９】
１００…名刺情報管理サーバ、  ３０…ＣＰＵ、  ３２…ＲＯＭ、  ３４…ＲＡＭ、  ３８…Ｉ／Ｆ、  ３９…バス、  ４０…入力装置、  ４２…記憶装置、  ４４…表示装置、  ４００…ユーザ企業情報テーブル、  ４２０…ユーザ情報テーブル、  ４４０…名刺裏面情報テーブル、  ４６０…名刺構成情報テーブル、  ４８０…名刺交換情報テーブル、  ２００…企業端末、  ２１０…携帯端末、  ３００…企業情報管理サーバ、  ３１０…印刷業者、  １９９…インターネット
【図１】
2019032783.tif 000003
【図２】
2019032783.tif 000004
【図３】
2019032783.tif 000005
【図４】
2019032783.tif 000006
【図５】
2019032783.tif 000007
【図６】
2019032783.tif 000008
【図７】
2019032783.tif 000009